(57)【要約】【課題】ケース開放用の破断構造部の異常を、目視検査で容易に発見し得る基板ケースを提供する。【解決手段】ケース本体５１部材及び蓋部材５２により形成される基板収容室に回路基板４０が収容され、蓋部材５２の閉止状態において本体側ハウジング６１と蓋側ハウジング６２とを連結する連結部材９０によりケース本体部材５１と蓋部材５２とが結合され、蓋部材５２に設けられた開放用の破断構造部７０を切断することによりケースを開放可能に基板ケース５０が構成される。この基板ケース５０において、破断構造部７０は蓋部材５２の側壁と蓋側ハウジング６２を結んで形成されたハウジング支持片７１，７２を有し、このハウジング支持片７１，７２がケースの前後方向に対して傾斜して形成され、基板ケース５０の前方から見たときに、ハウジング支持片の板面が視認されるように構成する。【選択図】図４
2008245792.tif 000002
【特許請求の範囲】
【請求項１】
ケース本体部材及びその前方を覆って閉止される蓋部材により前記蓋部材を閉止した閉止状態において形成される基板収容室に回路基板が収容され、前記閉止状態において、前記ケース本体部材に設けられた本体側ハウジングと前記蓋部材に設けられた蓋側ハウジングとを連結する連結部材により前記ケース本体部材と前記蓋部材とが前記閉止状態で結合され、前記蓋部材に設けられた開放用の破断構造部を切断して前記蓋側ハウジングを前記蓋部材から分離することにより前記基板収容室を開放可能に構成された基板ケースにおいて、
前記破断構造部は、前記基板収容室を形成する前記蓋部材の側壁と前記蓋側ハウジングとを結んで形成された薄肉帯板状のハウジング支持片を有し、
前記ハウジング支持片が、当該ハウジング支持片の延びる方向と直交する面内で前後方向に対して傾斜して形成されており、前記基板ケースの前方から前記破断構造部を目視したときに、前記ハウジング支持片の板面が視認されるように構成したことを特徴とする基板ケース。
【請求項２】
前記破断構造部は、前記ハウジング支持片を複数有し、前記基板ケースの前方から前記破断構造部を目視したときに、複数の前記ハウジング支持片の各板面が視認されるように構成したことを特徴とする請求項１に記載の基板ケース。
【請求項３】
前記複数のハウジング支持片は、当該複数のハウジング支持片が延びる方向と直交する面内における前後方向に対する傾斜角が異なる角度で形成されることを特徴とする請求項２に記載の基板ケース。
【請求項４】
前記複数のハウジング支持片は、当該複数のハウジング支持片が延びる方向と直交する面内で後方にハの字状に開く第１ハウジング支持片及び第２ハウジング支持片を有するとともに、
前記第１ハウジング支持片の前端部と前記第２ハウジング支持片の前端部とを結んで薄板状の保護片を備えたことを特徴とする請求項２または請求項３に記載の基板ケース。
【請求項５】
前記ハウジング支持片は、当該ハウジング支持片が延びる方向と直交する面内における断面形状が円弧状に形成されることを特徴とする請求項１から請求項４のいずれか一項に記載の基板ケース。
【発明の詳細な説明】
【技術分野】
【０００１】
本発明は、ケース本体部材及び蓋部材により形成される基板収容室に回路基板が収容され、ケース本体部材に設けられた本体側ハウジングと蓋部材に設けられた蓋側ハウジングとを連結する連結部材によりケース本体部材と蓋部材とが閉止状態で結合され、蓋部材に設けられた開放用の破断構造部を切断して蓋側ハウジングを蓋部材から分離することにより基板収容室を開放可能に構成された基板ケースに関する。
【背景技術】
【０００２】
上記のようなケースロック構造を備えた基板ケースは、パチンコ機やスロットマシン等の遊技機において、不正な利得を目的とした改造行為の対象になりやすい回路基板（例えば主制御基板や払出制御基板等）の不正改造防止手段として広く用いられている。
【０００３】
これらのケースロック機構は、回路基板を収容する基板ケースを透明な樹脂材料で形成するとともに、ケース本体部材及び蓋部材の側壁から突出して本体側ハウジング及び蓋側ハウジングを形成し、これらの間にロック駒とも称される連結部材を所定姿勢で収容して蓋部材を閉止したときにケース本体部材と蓋部材とが閉止状態で結合される。こうしてケース本体部材と蓋部材とが閉止状態に結合されると、一般的には、蓋部材に設けられた開放用の破断構造部を切断して蓋側ハウジングを蓋部材から分離しなければ基板収容室を開放不能に構成される。破断構造部は、蓋部材の側壁と蓋側ハウジングとの間を薄肉帯板状のハウジング支持片で接合することにより形成され、このハウジング支持片をニッパ等の工具で切断するように構成されている。このようなケースロック機構により、回路基板に対する不正改造や差し替えを容易には行えないようにするとともに、万が一不正改造が行われた場合にも、遊技施設の管理者や検査官が基板ケースの外側から回路基板及びケースロック機構の状態を目視確認することにより、不正行為の有無を検査し得るようになっている（例えば、特許文献１、特許文献２を参照）。
【０００４】
【特許文献１】特開２００３−３４００９４号公報
【特許文献２】特開２００６−２０７２８号公報
【発明の開示】
【発明が解決しようとする課題】
【０００５】
しかしながら、従来のケースロック機構では、ハウジング支持片が、当該ハウジング支持片の延びる方向と直交する面内で前後方向（一般的には蓋部材の前面に直交する前後方向）に形成されており、前記基板ケースの前方から見たときにハウジング支持片の側端面が視認されるように構成されていた。このため、ハウジング支持片をニッパにより切断した場合には切断部の変形や白色化を比較的容易に発見できるが、はんだごての先端にカッターナイフの刃を設けたホットナイフ等により切断された場合には、発見することが難しくなり、さらに接着剤で再接着されたような場合には、これを検知することが極めて困難である、という課題があった。
【０００６】
本発明は上記のような課題に鑑みてなされたものであり、破断構造部の異常を目視検査で容易に発見し得る基板ケースを提供することを目的とする。
【課題を解決するための手段】
【０００７】
上記課題を解決して目的を達成するため、本発明は、ケース本体部材及びその前方を覆って閉止される蓋部材により蓋部材を閉止した閉止状態において形成される基板収容室に回路基板（例えば、実施形態における主制御基板４０）が収容され、蓋部材の閉止状態において、ケース本体部材に設けられた本体側ハウジングと蓋部材に設けられた蓋側ハウジングとを連結する連結部材によりケース本体部材と蓋部材とが閉止状態で結合され、蓋部材に設けられた開放用の破断構造部を切断して蓋側ハウジングを蓋部材から分離することにより基板収容室を開放可能に構成された基板ケース（例えば、実施形態における主基板ケース５０）において、破断構造部は、基板収容室を形成する蓋部材の側壁と蓋側ハウジングとを結んで形成された薄肉帯板状のハウジング支持片を有し、このハウジング支持片が、当該ハウジング支持片の延びる方向と直交する面内で前後方向に対して傾斜して形成され、基板ケースの前方から破断構造部を目視したときに、ハウジング支持片の板面（例えば、実施形態における板面７１ｂ，７２ｂ等）が視認可能に構成される。
【０００８】
なお、上記破断構造部は、ハウジング支持片を複数有し、基板ケースの前方から破断構造部を目視したときに、複数のハウジング支持片の各板面が視認されるように構成することが好ましい。
【０００９】
この場合において、上記複数のハウジング支持片は、これらのハウジング支持片の延びる方向と直交する面内における前後方向に対する傾斜角（例えば、実施形態における角度θ1，θ2等）が異なる角度で形成されることが好ましい。
【００１０】
また、上記複数のハウジング支持片は、当該複数のハウジング支持片が延びる方向と直交する面内で後方にハの字状に開く第１ハウジング支持片及び第２ハウジング支持片を有するとともに、第１ハウジング支持片の前端部と第２ハウジング支持片の前端部とを結んで薄板状の保護片を備えて構成することも好ましい。
【００１１】
また、上記ハウジング支持片は、当該ハウジング支持片が延びる方向と直交する面内における断面形状が円弧状に形成されることが好ましい。
【発明の効果】
【００１２】
本発明に係る基板ケースでは、破断構造部に蓋部材の側壁と蓋側ハウジングとを結ぶ薄板状のハウジング支持片が、ハウジング支持片の延びる方向と直交する面内で前後方向に対して傾斜して形成され、基板ケースの前方から破断構造部を目視したときに、ハウジング支持片の板面が視認されるように構成される。すなわち、本構成の基板ケースでは破断構造部を前方から目視したときに、従来では側端面の後方に位置して視認しづらかったハウジング支持片の板面が明瞭に見えるようになり、且つこの板面が傾斜姿勢で視認される。このため、従来ではハウジング支持片の板厚分程度しか見えなかった切断痕が、ハウジング支持片の板幅及び傾斜角度に応じた長さで視認されるようになり、ホットナイフ等により切断された場合にも当該不正行為を容易に発見できる。さらに、板面が前後に傾斜しているため、板面での光の反射や屈折率の相違等により切断後の再接着部を把捉可能となり、接着剤を用いた巧妙な不正改造を早期に発見することができる。
【００１３】
なお、上記ハウジング支持片を複数設け、基板ケースの前方から複数のハウジング支持片の各板面が視認されるような構成によれば、ハウジング支持片の切断痕をさらに容易に発見することができる。
【００１４】
また、複数のハウジング支持片の前後方向への傾斜角が異なる角度で形成されるような構成によれば、複数のハウジング支持片の各板面での光の反射や屈折率の相違等を、傾斜角の異なる複数の支持片での差異から明瞭に見出すことができ、切断後の再接着をさらに容易に把捉することができる。
【００１５】
上記複数のハウジング支持片が、後方に向けてハの字状に開く第１，第２ハウジング支持片を有するとともに、第１ハウジング支持片の前端部と第２ハウジング支持片の前端部を結んで薄板状の保護片を備えた構成によれば、保護片の板面全体が基板ケース正面から視認され、また第１，第２ハウジング支持片及び保護片の板面が少なくとも３つの異なる角度で配設されるため、切断痕や接着痕をさらに容易に発見することができる。
【００１６】
また、上記の単数または複数のハウジング支持片が、ハウジング支持片の延びる方向と直交する面内における断面形状が円弧状に形成されることが好ましい。これは、ハウジング支持片が平らな板状の場合には、切断に用いる工具の刃がハウジング支持片の板面に対して直線状に接触するため、切断しやすく切断面もきれいな直線状に仕上げること（偽装）が容易であるのに対し、ハウジング支持片が断面視円弧状に形成されると、切断工具が点接触となり、きれいな直線状に切断することが困難となる。また、ハウジング支持片の板面の傾斜角が連続的に変化する円弧状であることから、ハウジング支持片の板面での光の反射や屈折率の相違等を、傾斜角が連続して変化する板面の位置による差異からより明瞭に見出すことができ、切断後の再接着をさらに容易に把捉することができる。
【００１７】
従って、本発明によれば、破断構造部の異常を目視検査で容易に発見し得る基板ケースを提供することができる。
【発明を実施するための最良の形態】
【００１８】
以下、図面を参照して本発明の好ましい実施形態について説明する。本発明を適用した遊技機の一例として、パチンコ機ＰＭの正面図及び背面図を図１及び図２に示しており、以下、この図を参照してパチンコ機ＰＭの全体構成について概要説明する。
【００１９】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００２０】
前枠２の前面側では、前側面域に合わせた方形状のガラス扉５および球皿ユニット６が横開き開閉および着脱が可能に組付けられ、球皿ユニット６の右下部に発射ハンドル８が設けられている。ガラス扉５の背後に位置する前枠上部には、遊技盤１０を着脱可能に収容保持する収容枠が設けられており、この収容枠に所定のゲージ設定で構成された遊技盤１０が着脱可能にセット保持されて前面の遊技領域ＰＡをガラス扉５の正面に臨ませている。
【００２１】
遊技盤１０は、積層合板の表面にセルが粘り付けられた化粧板１１を基板とし、その前面側に設けられた案内レールに囲まれて遊技球が転動可能な略円形の遊技領域ＰＡが形成される。遊技領域ＰＡには、図示省略する多数本の遊技釘や風車とともに、固定入賞具や可動入賞具等の各種の入賞具１３、遊技の展開状況に応じたアニメーション画像を表示する画像表示装置１５などが設けられ、遊技領域ＰＡの下端には入賞具１３に入賞せずに落下した遊技球を遊技盤１０の裏面に排出させるアウト口１６が設けられている。
【００２２】
遊技盤１０の後方に位置する前枠２の後方には、裏セット盤と称される機構セット盤２０が着脱可能に取り付けられており、ここに、球貯留タンク２１やタンクレール２２、球払出装置２３などの賞球の払出機構、遊技盤１０から排出されたセーフ球やアウト球等の遊技済み球を遊技施設の回収装置に導く遊技済み球排出通路などの球処理機構が設けられる。裏セット盤２０の後面側には、電源基板３１、発射制御基板３２、払出制御基板３３、ターミナル基板３４、演出制御基板３５、主制御基板４０、などの種々の回路基板が基板ケースに収容された状態でネジ固定され、各回路基板と制御対象とがコネクタケーブルで接続されてパチンコ機ＰＭが作動可能に構成される。
【００２３】
このように概要構成されるパチンコ機ＰＭにおいて、主制御基板４０を収容する主基板ケース５０に本発明が適用されている。以下、主基板ケース５０の構成について説明する。主基板ケース５０の分解斜視図を図３に、主基板ケース５０の開放状態及び閉止状態の斜視図を図４(ａ)(ｂ)に示す。なお、以降では、説明の便宜上から図４に示す配置姿勢を基準とし図中の矢印Ｕ方向を上方、矢印Ｒ方向を右方と称して説明する。
【００２４】
主基板ケース５０は、上向きに開く矩形箱状のケース本体部材５１と、下向きに開く矩形箱状の蓋部材５２とを主体として構成され、ケース本体部材５１に蓋部材５２を閉止した閉止状態において形成される基板収容室５０Ｓ（図８を参照）に主制御基板４０を収容保持し、蓋部材５２に設けられた開放用の破断構造部を切断することにより基板収容室５０Ｓが開放可能となるように構成されている。
【００２５】
主制御基板４０はパチンコ機ＰＭの作動を統括的に制御する制御基板であり、多層のプリント配線板である基板４１をベースとし、中央部にＣＰＵ４２、左右側端部に入出力用の複数の左コネクタ４３及び右コネクタ４４が設けられ、その他詳細図示を省略するがメモリやＩＣチップ、抵抗、コンデンサ等の多数の電子部品が実装されて構成される。基板４１の四隅に基板取付孔４１ａが形成されており、図７及び図８にそれぞれ図４中のVII矢視及びVIII矢視の断面図を示すように、蓋部材５２に下向きに突出成型されたネジボス５３に位置決め支持され、基板４１のハンダ面（下面）を保護する内部カバー４６とともに蓋部材５２にネジ固定される。
【００２６】
ケース本体部材５１は、主制御基板４０の外形寸法に応じて、基板４１よりも幾分大きめの矩形サイズに形成された底壁５１ｔと、この底壁５１ｔと繋がって周囲を囲む側壁５１ｓとにより形成される概略矩形の上面開放の箱状をなし、右方の側壁には、ケースロック機構６０の本体側ハウジング６１が複数（図示する実施例においては４箇所）側壁５２ｓから突出して設けられている。ケース本体部材５１の底部には、底壁５１ｔから上方に突出してリブ５４が縦・横に井桁状に形成されており、ケース本体部材５１の強度を向上させるとともに、蓋部材５２を閉止した閉止状態において基板収容室５０Ｓに収容される内部カバー４６の下面が当接支持されるようになっている。
【００２７】
蓋部材５２は、ケース本体部材５１の側壁５１ｓと略同一寸法の矩形枠サイズに形成された側壁５２ｓと、この側壁５２ｓと繋がり上記のような種々の電子部品が実装された主制御基板４０の高さ寸法等に応じて形成された天井壁５２ｔとにより形成される概略矩形の下面開放の箱状をなし、右方の側壁には、ケース本体部材５１の本体側ハウジング６１と整合する位置に、ケースロック機構６０の蓋側ハウジング６２が複数（同様に本実施例においては４箇所）側壁５２ｓから突出して設けられている。蓋部材５２の左右側部には、主制御基板４０の左右のコネクタ４３，４４の配設高さに合わせて天井壁５２ｔが低く形成されるとともに、この低く形成された天井壁５２ｔを上下に貫通して、上記コネクタ４３，４４を挿通させるコネクタ開口部５５が形成され、主制御基板４０の左コネクタ４３及び右コネクタ４４が外部に露出して配設され、入出力のコネクタケーブルが主基板ケース５０の閉止状態で接続可能になっている。
【００２８】
ケース本体部材５１及び蓋部材５２の左側縁には、ケース本体部材５１の側壁に設けられたヒンジ軸５７ａと、蓋部材５２の側壁に設けられたヒンジアーム５７ｂとからヒンジ構造５７が形成され、ケース本体部材５１及び蓋部材５２の右側縁には、開放用の破断構造部７０を壊さなければケースを開放することができないケースロック機構６０が設けられている。そして、ケース本体部材５１と蓋部材５２とがヒンジ構造５７により横開き開閉及び着脱が可能に連結され、ケースロック機構６０により閉鎖状態に保持される。
【００２９】
ケース本体部材５１、蓋部材５２、及び内部カバー４６は、基板収容室５０Ｓに収容された主制御基板４０の視認性を確保するため、透明な樹脂材料、例えばＡＢＳ樹脂やポリカーボネート（ＰＣ）等の合成樹脂材料を用いて射出成型等の成形手段により各々一体に形成される。
【００３０】
ケースロック機構６０は、連結駒やロック駒とも称される連結部材９０を用いた形態の不正開放防止機構であり、その詳細構成を図５〜図８に示す。ここで、図５は(ａ)本体側ハウジング６１及び(ｂ)蓋側ハウジング６２の分解斜視図、図６は(ａ)アンロック姿勢の連結部材９０を本体側ハウジング６１から引き抜いた状態及び(ｂ)引き抜いた連結部材９０を上下反転させて本体側ハウジング６１に挿入する状態を示す斜視図、図７はアンロック状態にある連結部材９０の作用を説明するためのケースロック機構６０の断面図（図４中のVII矢視の断面図）、図８はロック状態にある連結部材９０の作用を説明するためのケースロック機構６０の断面図（図４中のVIII矢視の断面図）である。
【００３１】
ケースロック機構６０は、ケース本体部材５１に設けられた本体側ハウジング６１と、蓋部材５２に設けられた蓋側ハウジング６２と、これらの間に嵌着される連結部材９０とを主体として構成され、連結部材９０をロック姿勢にして蓋部材５２を閉止したときに、連結部材９０により本体側ハウジング６１と蓋側ハウジング６２とが閉止状態で結合され、原則的には蓋部材５２に設けられた開放用の破断構造部７０を壊して蓋側ハウジング６２を蓋部材５２から分離しなければ基板収容室５０Ｓを開放できないように構成される。
【００３２】
ケース本体部材５１に設けられた４箇所の本体側ハウジング６１、及び蓋部材５２に設けられた４箇所の蓋側ハウジング６２は、いずれも連結部材９０よりもわずかに大きめな長辺と短辺とからなる長方形断面で上下に延び、本体側ハウジング６１は上端に挿抜開口６１ａを有する有底角筒状、蓋側ハウジング６２は下端に挿抜開口６２ａを有する有底角筒状に形成される。本体側ハウジング６１は、ケース本体部材５１の右端側に側壁５１ｓから張り出すように一体成型され、蓋側ハウジング６２は、蓋部材５２の右端側に側壁５２ｓから突出する二枚の帯板状のハウジング支持片からなる破断構造部７０を介して蓋部材の側壁５２ｓに接合されている。なお、破断構造部７０については後に詳述する。
【００３３】
一方、連結部材９０は、平面視における形状が長辺と短辺とからなる長方形断面で上下に延び、一端に開口９０ａ、他端に底壁９０ｂを有する有底角筒状をなし、ケース本体部材５１や蓋部材５２と同様の樹脂材料を用いて一体成型される。
【００３４】
連結部材９０において長方形断面の短辺を形成する壁面（便宜的に短壁面という）９２には、開口９０ａ側に位置して、根本部が開口側の短壁面９２に繋がるコの字状に切り離されて底壁側の先端部が角筒の内外方向に弾性変形可能に構成されるとともに、先端部に向けて外方に突出する断面視楔状の第１ロック爪９４が形成されている。また、長方形断面の長辺を形成する壁面（同様に長壁面という）９３には、底壁９０ｂ側に位置して、根本部が底壁側の長壁面９３に繋がるコの字状に切り離されて開口側の先端部が角筒の内外方向に弾性変形可能に構成されるとともに、先端部に向けて外方に突出する断面視楔状の第２ロック爪９７が形成されている。底壁９０ｂの外面側には、連結部材９０が底壁９０ｂを上向きにしたロック姿勢であるか、または開口９０ａを上向きにしたアンロック姿勢であるかを視認容易に識別するため、標識として「ロック」の文字が形成されている（図６(ｂ)を参照）。
【００３５】
この連結部材９０を受容する本体側ハウジング６１には、図５(ａ)に示すような上下に連通した角筒状の本体側係合補助部材６３が溶着または接着等の固着手段により固着され、蓋側ハウジング６２には、図５(ｂ)に示すような上下に連通した角筒状の蓋側係合補助部材６６が同様の固着手段により固着されている。
【００３６】
このうち、本体側ハウジング６１に固着された本体側係合補助部材６３には、対向する短辺の内壁面に、連結部材９０の第１ロック爪９４を受容して係合し連結部材９０を係止する角穴状の本体側爪係止穴６４が設けられ、対向する長辺の内壁面に、連結部材９０の第２ロック爪９７を上下方向にガイドする凹溝状の本体側ガイド溝６５が設けられている。
【００３７】
蓋側ハウジング６２に固着された蓋側係合補助部材６６にも、対向する各辺に同様のガイド溝と爪係止穴とが形成されているが、図５(ａ)と(ｂ)とを対比して明らかなように、その配設位置が長辺と短辺とで逆になっている。すなわち、蓋側係合保持部材６６では、対向する長辺の内壁面に、第２ロック爪９７を受容して係合し連結部材９０を係止する角穴状の蓋側爪係止穴６７が設けられ、対向する短辺の内壁面に、第１ロック爪９４を上下方向にガイドする凹溝状の蓋側ガイド溝６８が設けられている。
【００３８】
このため、図６(ａ)及び図７に示すように、開口９０ａを上向きにしたアンロック姿勢で連結部材９０を本体側ハウジング６１に装着したときには、長壁面９３に形成された第２ロック爪９７が本体側ガイド溝６５に案内されて連結部材９０の底壁側部分が本体側ハウジング６１内に収容され、その上方から蓋部材５２を閉止すると短壁面９２に形成された第１ロック爪９４が蓋側ガイド溝６８に案内されて連結部材９０の開口側部分が蓋側ハウジング６２内に収容される。この状態では、連結部材９０の第１ロック爪９４及び第２ロック爪９７は、いずれも上下に延びる凹溝状のガイド溝６８，６５内に位置して上下に相対移動可能であり、主基板ケース５０を自由に開閉することができる。
【００３９】
一方、図６(ｂ)及び図８に示すように、底壁９０ｂを上向きにしたロック姿勢で連結部材９０を本体側ハウジング６１に装着すると、短壁面９２に形成された第１ロック爪９４が本体側爪係止穴６４に嵌入して係合し、連結部材９０の開口側部分が本体側ハウジング６１内に収容された状態で固定される。そして、その上方から蓋部材５２を閉止すると長壁面９３に形成された第２ロック爪９７が蓋側爪係止穴６７に嵌入して係合し、連結部材９０の底壁側部分が蓋側ハウジング６２内に収容された状態で固定される。この状態では、連結部材９０の第１ロック爪９４及び第２ロック爪９７の両者が、いずれも角穴状の爪係止穴６４，６７内に拡開した状態で係合しており、主基板ケース５０のケース本体部材５１と蓋部材５２とが連結部材９０を介して結合された閉止状態にロックされる。
【００４０】
そこで、ケースロック機構６０では、工場出荷時に複数のケースロック機構のうちひとつをロック状態とする。例えば４組のケースロック機構を、第１ケースロック機構６０ａ〜第４ケースロック機構６０ｄとしたときに、第１ケースロック機構６０ａの連結部材のみをロック姿勢とし、他のケースロック機構６０ｂ，６０ｃ，６０ｃの連結部材をアンロック姿勢として主基板ケース５０を閉鎖する。このとき、第１ケースロック機構６０ａの連結部材は、底壁９０ｂが上向き姿勢で本体側及び蓋側ハウジング６１，６２の内部に係止される。遊技施設の管理者は、蓋側ハウジング６２の天井面を透視して底壁に形成された「ロック」の文字を目視確認することができ、これにより第１ケースロック機構６０ａがロック状態にあることを確認できる。
【００４１】
主基板ケース５０を開放する必要が生じた場合には、上方に位置する第１ケースロック機構６０ａの破断構造部７０をニッパ等の工具により切断する。すると、第１ケースロック機構６０ａの蓋側ハウジング６２は、ロック姿勢にある連結部材９０を介してケース本体部材５１に連結されているが、蓋側ハウジング６２自体が蓋部材５２から分離されたため、ケース本体部材５１と蓋部材５２との連結が解除され、主基板ケース５０を開放することができる。そこで、主基板ケース５０を開放して主制御基板４０等の保守点検作業等を行うことができる。
【００４２】
主制御基板４０等の保守点検作業等を実施した後、主基板ケース５０を再封鎖する際には、第１ケースロック機構６０ａ以外のケースロック機構、例えば図６(ａ)に示すように、第２ケースロック機構６０ｂにアンロック姿勢で収容されていた連結部材９０を引き抜いて、図６(ｂ)に示すように、上下を反転して本体側ハウジング６１に装着し、上方から蓋部材５２を閉止する。すると、連結部材９０の第１ロック爪９４及び第２ロック爪９７が各々本体側爪係止穴６４及び蓋部材側爪係止穴６７と係合してケース本体部材５１と蓋部材５２とが連結部材９０を介して結合され、第２ケースロック機構６０ｂにより主基板ケース５０が閉止状態にロックされる。
【００４３】
このとき、蓋側ハウジング６２の上方から、第１ケースロック機構６０ａと第２ケースロック機構６０ｂの２箇所について「ロック」の文字、及び第１ケースロック機構６０ａの破断構造部７０が切断されていることを視認するができ、これにより管理者は、主基板ケース５０が一度開放された履歴があり、現在は第２ケースロック機構６０ｂにより主基板ケース５０が閉鎖状態にロックされていることを確認することができる。
【００４４】
さて、このような機能を有するケースロック機構６０において、破断構造部７０（７０Ａ，７０Ｂ，７０Ｃ）は、蓋部材の側壁５２ｓと蓋側ハウジング６２とを結ぶ薄肉帯板状のハウジング支持片を有し、このハウジング支持片が、ハウジング支持片の延びる方向と直交する面内で前後方向に対して傾斜して形成される。
【００４５】
まず、第１実施形態の破断構造部７０Ａについて、図８中のIX矢視方向に見た断面図（ハウジング支持片の延びる方向と直交する面の断面図）を図９に示すように、破断構造部７０Ａは、蓋部材の側壁５２ｓと蓋側ハウジング６２とを結んで、例えば、板厚ｔ＝１〜２mm程度、板幅Ｗ＝４〜６mm程度の二枚の薄肉帯板状のハウジング支持片、すなわち第１ハウジング支持片７１と第２ハウジング支持片７２とを有しており、これらのハウジング支持片７１，７２が、前後方向に対していずれも角度θ1傾斜した角度姿勢で形成されている。このため、破断構造部７０Ａを主基板ケース５０の前方（図９に矢印Ｕを付記した上方）から目視したときに、二枚のハウジング支持片７１，７２の各側端面７１ａ，７２ａのみならず、板面７１ｂ，７２ｂが傾斜角度θ1に応じた長さ（板面の幅をＷとしたときにＷｓｉｎθ1）で視認される。
【００４６】
これにより、ハウジング支持片が傾斜することなく前後方向に形成されていた従来のケースロック機構では、ケース前方から見たときにハウジング支持片の板厚ｔ程度しか見えなかった切断痕が、ハウジング支持片の板幅Ｗ及び傾斜角度θ1に応じた長さで視認されるようになり、視認される切断痕の長さを（Ｗｓｉｎθ1／ｔ）倍に拡大することができる。また、ハウジング支持片の板面７１ｂ，７２ｂが傾斜しているため、各板面での光の反射や屈折率の相違等により切断後の再接着部を把捉可能となり、接着剤を用いた巧妙な不正改造を早期に発見することができる。
【００４７】
図１０は、図９と同一方向に見た第２実施形態の破断構造部７０Ｂの断面図である。この実施形態の破断構造部７０Ｂは、上記第１実施形態の破断構造部７０Ａと同様に、蓋部材の側壁５２ｓと蓋側ハウジング６２とを結ぶ二枚の薄肉帯板状の第１ハウジング支持片７３及び第２ハウジング支持片７４を有し、これらのハウジング支持片７３，７４がいずれも前後方向に対して傾斜しいるが、その傾斜角度が異なる角度に設定されており、図示する実施例では、正方向と逆方向の角度±θ2として後方に開くハの字状に構成している。
【００４８】
このような構成によれば、第１実施形態の破断構造部７０Ａと同様に、破断構造部７０Ａを主基板ケース５０の前方から目視したときに、第１，第２ハウジング支持片の各側端面７３ａ，７４ａのみならず傾斜角度±θ2に応じた長さで板面７３ｂ，７４ｂを視認することができ、従来では板厚ｔ程度しか見えなかった切断痕の視認長さを、ハウジング支持片の板幅及び傾斜角度θ2に応じた長さに拡大することができる。また、本実施形態の破断構造部７０Ｂでは、二枚のハウジング支持片７３，７４を異なる傾斜角度に設定しているため、各板面７３ｂ，７４ｂでの光の反射や屈折率の相違等を、傾斜角の差異からより明瞭に見出すことができ、切断後の再接着をさらに容易に把捉することができる。なお、実施例では傾斜角度が異なる構成の一例として、角度の絶対値（θ2）が同一であるが傾斜方向を正方向と逆方向（±θ2）にした構成例を示したが、傾斜方向が同一で異なる角度（例えばθ1：θ2）とし、あるいは逆方向で異なる角度（例えばθ1：−θ2）としても良い。
【００４９】
図１１に、図９及び図１０と同一方向に見た第３実施形態の破断構造部７０Ｃの断面図を示す。この実施形態の破断構造部７０Ｃは、上記第２実施形態の破断構造部７０Ｂと同様に、蓋部材の側壁５２ｓと蓋側ハウジング６２とを結んで後方にハの字状に開く第１ハウジング支持片７３及び第２ハウジング支持片７４を有するとともに、第１ハウジング支持片７３の前端部と第２ハウジング支持片７４の前端部とを結ぶ薄板状の保護片７５を備え、ハウジング支持片７３，７４とともに蓋部材５２に一体成型される。保護片７５は、第１，第２ハウジング支持片７３，７４の板厚ｔよりも薄肉（例えば厚さｔ2＝0.5〜0.8mm程度）に形成され、この保護片７５をニッパ等の先端で突き破り、第１，第２ハウジング支持片７３，７４を切断するように構成される。
【００５０】
このような構成によれば、保護片７５の板面全体が主基板ケース５０の正面側に位置して配設されるため、保護片７５の状況から切断痕を発見しやすくなり、第１，第２ハウジング支持片７３，７４及び保護片７４の各板面が３つの異なる角度で配設されるため、光の反射や屈折率の相違から切断痕や接着痕を容易に発見することができる。さらに、保護片７５が薄肉に形成されていることから、保護片７５の切断部が一般的には不規則な破断面となり、ホットナイフ等により切断した場合にはハウジング支持片７３，７４よりも溶け落ちが大きくなるため、破断構造部７０Ｃの異常を把捉しやすくなるとともに、不正行為に対する抑止力を向上させることができる。
【００５１】
図１２に、図９〜図１１と同一方向に見た第４実施形態の破断構造部７０Ｄの断面図を示す。この実施形態の破断構造部７０Ｄは、蓋部材の側壁５２ｓと蓋側ハウジング６２とを結ぶ第１ハウジング支持片７６及び第２ハウジング支持片７７の各板面７６ｂ，７７ｂの傾斜角が相互に異なる角度で各々連続的に変化し、ハウジング支持片の延びる方向と直交する断面形状がそれぞれ円弧状に形成される。
【００５２】
また、図１３に示す第５実施形態の破断構造部７０Ｅは、上記第４実施形態の破断構造部７０Ｄにおける第１ハウジング支持片７６と第２ハウジング支持片７７とが上端で繋がった単一のハウジング支持片７８を有し、断面形状が上方に凸の円弧状（半円筒状）に形成される。
【００５３】
このような構成によれば、これらのハウジング支持片７６，７７，７８を切断する際に、切断工具の刃が点接触（例えばニッパにより切断する場合にはハウジング支持片の下面側の角部二点と板面上の一点の三箇所の点接触、ナイフ等で切断する場合には板面上の一箇所の点接触）になり、きれいな直線状に切断することが困難である。このため、偽装工作を行いにくい切断面を生成させることができる。また、ハウジング支持片の板面７６ｂ，７７ｂ，７８ｂの傾斜角が連続的に変化する円弧状であることから、ハウジング支持片の板面での光の反射や屈折率の相違等を、傾斜角が連続して変化する板面の位置による差異からより明瞭に見出すことができ、たとえ不正行為者が巧妙な偽装工作を行ったとしても、切断後の再接着を容易に発見し把捉することができる。なお、傾斜角が連続的に変化する円弧状に代えて、傾斜角が断続的に変化する多角形状に形成しても良い。
【００５４】
また、蓋部材５２及びケース本体部材５１の材料としてＡＢＳ樹脂を使用した場合には、破断構造部７０（７０Ａ，７０Ｂ，７０Ｃ）のハウジング支持片７１〜７４や保護片７５をニッパ等で圧迫切断したときに、ＡＢＳ樹脂の成分であるブタジエンの有するゴム弾性により切断部が伸びて白化しやすく、切断痕が明確に残りやすいという効果を得ることができる。
【００５５】
従って、以上説明したような破断構造部７０を備えた基板ケースによれば、破断構造部の異常を目視検査で容易に発見し得る基板ケースを提供することができる。
【００５６】
なお、以上説明した実施形態では、主制御基板４０を収容する主基板ケース５０に適用した事例について説明したが、本発明は、払出制御基板３３や演出制御基板３５等の他の回路基板に適用することができ、またパチンコ機以外の他種の遊技機、例えばアレンジボール機や雀球遊技機、スロットマシン等の回路基板についても同様に適用し同様の効果を得ることができる。
【図面の簡単な説明】
【００５７】
【図１】本発明を適用した遊技機の一例として示すパチンコ機の正面図である。
【図２】上記パチンコ機の背面図である。
【図３】主基板ケースの分解斜視図である。
【図４】主基板ケースの(ａ)開放状態及び(ｂ)閉止状態の斜視図である。
【図５】上記主基板ケースにおける(ａ)本体側ハウジング及び(ｂ)蓋側ハウジングの分解斜視図である。
【図６】(ａ)アンロック姿勢の連結部材と、(ｂ)ロック姿勢の連結部材を、本体側ハウジングの上方に示すケースロック機構の斜視図である。
【図７】アンロック状態にある連結部材の作用を説明するためのケースロック機構の断面図（図４中のVII矢視の断面図）である。
【図８】ロック状態にある連結部材の作用を説明するためのケースロック機構の断面図（図４中のVIII矢視の断面図）である。
【図９】図８中のIX矢視方向に見た第１実施形態の破断構造部の断面図である。
【図１０】図９と同一方向に見た第２実施形態の破断構造部の断面図である。
【図１１】図９と同一方向に見た第３実施形態の破断構造部の断面図である。
【図１２】図９と同一方向に見た第４実施形態の破断構造部の断面図である。
【図１３】図９と同一方向に見た第５実施形態の破断構造部の断面図である。
【符号の説明】
【００５８】
ＰＭ  パチンコ機
４０  主制御基板（回路基板）
５０  主基板ケース（基板ケース）
５０Ｓ  基板収容室
５１  ケース本体部材
５２  蓋部材（５２ｓ  蓋部材の側壁）
６０（６０ａ〜６０ｄ）  ケースロック機構
６１  本体側ハウジング
６２  蓋側ハウジング
７０（７０Ａ〜７０Ｅ）  破断構造部
７１  第１ハウジング支持片（７１ａ  側端面、７１ｂ  板面）
７２  第２ハウジング支持片（７２ａ  側端面、７２ｂ  板面）
７３  第１ハウジング支持片（７３ａ  側端面、７３ｂ  板面）
７４  第２ハウジング支持片（７４ａ  側端面、７４ｂ  板面）
７５  保護片
９０  連結部材
θ1,θ2  ハウジング支持片の延びる方向と直交する面内における前後方向に対する傾斜角
【図１】
2008245792.tif 000003
【図２】
2008245792.tif 000004
【図３】
2008245792.tif 000005
【図４】
2008245792.tif 000006
【図５】
2008245792.tif 000007
【図６】
2008245792.tif 000008
【図７】
2008245792.tif 000009
【図８】
2008245792.tif 000010
【図９】
2008245792.tif 000011
【図１０】
2008245792.tif 000012
【図１１】
2008245792.tif 000013
【図１２】
2008245792.tif 000014
【図１３】
2008245792.tif 000015